(57)【要約】      （修正有）【課題】強固に連結固定され、高さ調整が可能な埋没ボックスを提供する。【解決手段】地中に埋設する埋設ボックス本体１と、この埋設ボックス本体１の天井盤２の開口部に連通させて連結固定する縁塊体５と、埋設ボックス本体１上に縁塊体５を連結固定させる連結手段１０とを備える。連結手段１０は、天井盤２面に配した天井面インサート１１と、縁塊体５側面に配されている縁塊インサート１２と、天井面インサート１１にねじ込み立脚されるネジ支柱１４と、このネジ支柱１４にその所定高さ位置でねじ止め固定して縁塊インサート１２にねじ込み連結する連繋体１５とを備える。【選択図】図１
0003168785.tif 000002
【実用新案登録請求の範囲】
【請求項１】
地中に埋設される埋設ボックス本体と、この埋設ボックス本体の天井盤の開口部に連通させて連結固定される縁塊体と、埋設ボックス本体上に縁塊体を連結固定させる連結手段とを備えて成り、連結手段は、天井盤面に配されている天井面インサートと、縁塊体側面に配されている縁塊インサートと、天井面インサートにねじ込み立脚されるネジ支柱と、このネジ支柱にその所定高さ位置でねじ止め固定されて縁塊インサートにねじ込まれ連結される連繋体とを備えることを特徴とする埋設ボックス。
【請求項２】
埋設ボックス本体と縁塊体との間には、開口部に連通させて調整リングが介在され、この調整リングは、調整リング側面に配されているリングインサートと、天井面インサートにねじ込み立脚されるネジ支柱と、このネジ支柱にその所定高さ位置でねじ止め固定されてリングインサートにねじ込まれ連結される連繋体とを備えることを特徴とする埋設ボックス。
【請求項３】
連繋体は、縁塊インサート・リングインサートにねじ込まれるネジ部と、ネジ支柱側面に嵌り込む二股状でネジ支柱にその上下からナット止めされる連結部とを有している請求項１または２に記載の埋設ボックス。
【請求項４】
縁塊体・調整リング側面、連結部側面相互間に介在されて縁塊体・調整リング側面に弾発的に当接するようネジ部に嵌め合わせた緩衝材を有している請求項３に記載の埋設ボックス。
【請求項５】
連結手段のネジ支柱は、積み重ねた調整リングと縁塊体とで上下に多段的に配されている連繋体それぞれが嵌め込まれて天井盤の天井面インサートにねじ込まれ立脚されるものとしてある請求項１乃至４のいずれかに記載の埋設ボックス。
【考案の詳細な説明】
【技術分野】
【０００１】
この考案は地中に埋設される各種のケーブル等の配線、配管等を集約し、また分岐するように地中表面に埋設されるもので、内部点検その他のための作業員等が容易に出入りできるようにし、また簡単に施工でき、地表とのレベル調整も容易にしたハンドホール、マンホール等の各種の埋設ボックスに関する。
【背景技術】
【０００２】
従来から、地中に埋設される各種の配線、配管は、地表に露出されて地中に埋設されるハンドホール、マンホール等の各種の埋設ボックスを利用してそれらを集約したり、分岐したりする。これらの埋設ボックスは、底壁部分を備え、周壁の一部に薄肉状のノックアウト部分を有する筒状の本体と、この本体内に作業員その他を出入りさせるようにして地表面に露出される枠状の出入り口部（縁塊）とから成り、例えば現地組立式のものとして構成されるように提供されている。
【０００３】
この種の埋設ボックスとしては例えば特許文献１に係るコンクリート製ボックスがある。このコンクリート製ボックスは、コンクリート製のボックス本体の天井壁上に出入口筒を連結固定するものとし、出入口筒の外周面と天井壁上面とにそれぞれインサートを取り付けておき、このインサートにボルト止めされる縦部分、横部分を有する略Ｌ字型プレートから成る高さ調整装置によってボックス本体上に出入口筒を固定して成る。
【０００４】
この従来のコンクリート製ボックスは、ボックス本体と出入口筒との連結固定による現地組立式のものであることによって、運搬や保管の障害にならず、安全で精度の良い施工が可能であり、多種多様な調整リング、傾斜リングの使用で現場に適した高さ調整を行える利点が得られるとする。
【先行技術文献】
【特許文献】
【０００５】
【特許文献１】特開平１１−２４７２１３号公報
【考案の概要】
【考案が解決しようとする課題】
【０００６】
ところが、この従来のコンクリート製ボックスによると、ボックス本体の天井壁とこのボックス本体上の出入口筒との両者のインサートそれぞれに、ボックス本体、出入口筒それぞれに跨るように略Ｌ字型の高さ調整装置を宛がい、高さ調整装置の縦部分、横部分それぞれをねじ止めしている。そのねじ止めに際し、インサート部分との高さ調整その他のために高さ調整装置の縦部分、横部分それぞれにおいて、ネジ挿通用の孔が長孔状に形成されていると、その長孔に沿って移動し、緩むことがあり、ボックス本体と出入り口筒とがしっかりとした締結状態で固定されなくなる虞がある。
【０００７】
そればかりでなく、略Ｌ字型の高さ調整装置の使用は、ボックス本体上に出入り口筒を直接に載置した状態でボックス本体上で出入り口筒側面に宛がい、インサートそれぞれにボルトをねじ込むから、例えば地表面との間における間隔に対応させるために高さを調整すべく出入り口筒自体を若干でも嵩上げしておいて、例えばモルタル材等を介装して高さを設定するとしても、ネジ挿通用の孔が長孔状であるとこれは極めて困難である。また、ネジ挿通用の孔が丸孔状であるとしても、高さ調整のためには孔開け位置が異なる複数タイプのものを用意しなければならず、更には現場で個別に対応して孔開け加工するとしても極めて面倒である。
【０００８】
そこでこの考案は叙上のような従来存した諸事情に鑑み案出されたもので、その目的は埋設ボックス本体と、この埋設ボックス本体上に載置される出入り用の枠状の縁塊体更には高さ調整のための枠状の調整リングとの結合組立に際し、縁塊体あるいは調整リング等にねじ込む連繋体を埋設ボックス本体上に立脚状にねじ止めするネジ支柱にねじ止めすることで、埋設ボックス本体に縁塊体、調整リングを組立可能にし、また縁塊体、調整リングの設置高さ調整も可能であるようにした埋設ボックスを提供することにある。
【課題を解決するための手段】
【０００９】
上述した課題を解決するため、この考案にあっては、地中に埋設される埋設ボックス本体１と、この埋設ボックス本体１の天井盤２の開口部３に連通させて連結固定される縁塊体５と、埋設ボックス本体１上に縁塊体５を連結固定させる連結手段１０とを備えて成り、連結手段１０は、天井盤２面に配されている天井面インサート１１と、縁塊体５側面に配されている縁塊インサート１２と、天井面インサート１１にねじ込み立脚されるネジ支柱１４と、このネジ支柱１４にその所定高さ位置でねじ止め固定されて縁塊インサート１２にねじ込まれ連結される連繋体１５とを備えることを特徴とする。
埋設ボックス本体１と縁塊体５との間には、開口部３に連通させて調整リング６が介在され、この調整リング６は、調整リング６側面に配されているリングインサート１３と、天井面インサート１１にねじ込み立脚されるネジ支柱１４と、このネジ支柱１４にその所定高さ位置でねじ止め固定されてリングインサート１３にねじ込まれ連結される連繋体１５とを備えることを特徴とする。
連繋体１５は、縁塊インサート５・リングインサート６にねじ込まれるネジ部１６と、ネジ支柱１１側面に嵌り込む二股状でネジ支柱１１にその上下からナット１８止めされる連結部１７とを有して構成することができ、更には必要に応じ、縁塊体５・調整リング６側面、連結部１７側面相互間に介在されて縁塊体５・調整リング６側面に弾発的に当接するようネジ部１６に嵌め合わせた緩衝材１９を有して構成することができる。
連結手段１０のネジ支柱１４は、積み重ねた調整リング６と縁塊体５とで上下に多段的に配されている連繋体１５それぞれが嵌め込まれて天井盤２の天井面インサート１１にねじ込まれ立脚されるものとして構成することができる。
【００１０】
以上のように構成されたこの考案に係る埋設ボックスは、埋設ボックス本体１における天井盤２の開口部に連通させて縁塊体５を連結手段１０によって天井盤２上に連結固定させ、また高さを調整させる調整リング６を埋設ボックス本体１と縁塊体５との間に介在させて同様に連結手段１０によって連結固定させる。
連結手段１０は、縁塊体５あるいは調整リング６それぞれにねじ込まれる連繋体１５をネジ支柱１４にその上下（表裏）からナット１８止めすることで、そのねじ止め位置は連結固定後でずれることはなく、外部からの振動その他によっても埋設ボックス本体１上に載置セットした縁塊体５、調整リング６の固定位置を維持させる。また、ネジ支柱１４に対するナット１８止め位置を調整は、天井盤２上に載置する縁塊体５、調整リング６等のの高さ位置が異なってもこれに対応させる。
ネジ支柱１４に対する連繋体１５のナット１８止めは、縁塊体５、調整リング６それぞれにおける連繋体１５の高さ位置が異なることになってもそれらのねじ止め位置の調整変更によって対応させる。
連結手段１０においての縁塊体５・調整リング６側面、連結部１７側面相互間に介在された緩衝材１９は、縁塊インサート１２・リングインサート１３にねじ込まれた連繋体１５と縁塊体５・調整リング６側面との間で生じ得る間隙によるがたつきを阻止し、ネジ支柱１４と一体的に連結固定させる。
また、埋設ボックス本体１と縁塊体５との間に高さ調整用の調整リング６を介在させたとき、それぞれにねじ込まれる連繋体１５を嵌め込ませる長めのネジ支柱１４が積み重ね状の縁塊体５、調整リング６を共に一体的にして埋設ボックス本体１に固定させる。
【考案の効果】
【００１１】
この考案は以上説明したように構成されているため、地中に埋設される埋設ボックス本体１上に載置される出入り用の枠状の縁塊体５、更にはこの縁塊体５と共に高さ調整のために介在される枠状の調整リング６との結合組立に際し、埋設ボックス本体１の天井盤２にねじ込み立脚するネジ支柱１４に、縁塊体５、調整リング６にねじ込まれることで多段的にでも配置される連繋体１５によって一体的に組み立て固定できる。
【００１２】
すなわち、これはこの考案において、埋設ボックス本体１上に、縁塊体５更には調整リング６等を連結固定させる連結手段１０を、埋設ボックス本体１の天井盤２にねじ込み立脚されるネジ支柱１４に、縁塊体５・調整リング６側面にねじ込み連結される連繋体１５をナット１８止めすることでねじ止め連結したからである。これによって、埋設ボックス本体１上に縁塊体５を、また調整リング６を介在させてこの調整リング６と共に縁塊体５を強固にして安定的な状態で埋設ボックス本体１に連結固定できる。
【００１３】
また、連結手段１０は、天井面インサート１１にねじ込み立脚されるネジ支柱１４と、このネジ支柱１４の所定高さ位置でねじ止めされて縁塊インサート１２・リングインサート１３にねじ込まれる連繋体１５とを備えるから、天井盤２上に載置セットされた縁塊体５・調整リング６を天井盤２上でしっかりとねじ止め状態で連結固定でき、外部からの振動、衝撃その他によっても位置ずれを生じさせず、これらの一体化された連結固定状態を維持できる。
【００１４】
そればかりでなく、埋設ボックス本体１の天井盤２上に縁塊体５、調整リング６を地表面位置に合わせて載置セットするとき、例えば僅かな高さ範囲でも嵩上げする必要がある場合、ネジ支柱１４に対する下方位置のナット１８止め位置を設定し、所定高さ位置としてレベル調整することができる。こうすることで、縁塊体５更には調整リング６を天井盤２面に対して、上下位置のナット１８によってしっかり固定することで浮かした状態にしておくことができ、その隙間に例えば目地モルタル材等を埋め込み充填し、それが硬化した後は高さ調整された縁塊体５、調整リング６として固定設置することができる。
【００１５】
ネジ支柱１４に連繋体１５をねじ止めするに際し、連繋体１５における連結部１７を上下から挟み込むようにしてナット１８止めするから、このナット１８止めは緩むことがなく、またナット１８のねじ止め位置は自在に調整できるから、縁塊体５あるいは調整リング６における連繋体１５のねじ止め連繋の高さ位置が異なることになってもそれへの対応も容易であり、汎用性に優れる。
【００１６】
連結手段１０における縁塊体５・調整リング６側面、連結部１７側面相互間に配される緩衝材１９をネジ部１６に嵌め合わせてあるから、縁塊体５・調整リング６側面と連繋体１５との間で、例えば連結部１７をネジ支柱１４に嵌め合わせるために若干でも縁塊インサート１２・リングインサート１３へのねじ込みを弛めることで間隙が生じても、それによるがたつきを防止でき、連繋体１５のネジ部１６による縁塊インサート１２・リングインサート１３へのねじ込み調整に対応できる。
【００１７】
調整リング６上に縁塊体５を積み重ねて埋設ボックス本体１に連結固定するとしても、縁塊体５、調整リング６にねじ込む連繋体１５の多段的配置に対応合致させて、埋設ボックス本体１における天井盤２にねじ込み立脚するネジ支柱１４を十分に長くし、共通する１本のネジ支柱１４によってナット１８止めすればよいから、複数段構成となっても面倒な連結固定作業を必要としない。
【００１８】
また、傾斜地等で埋設ボックス本体１を埋設する場合には、埋設ボックス本体１と縁塊体５との間、あるいは調整リング６と縁塊体５との間にその傾斜態様に合わせたモルタル・コンクリート材等の傾斜調整材７を介装させることで、傾斜地面に対応してこれと面一状となるように蓋４を設置できる。
【００１９】
尚、上記の課題を解決するための手段、効果の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００２０】
【図１】この考案を実施するための一形態を示す分解斜視図である。
【図２】同じく連結手段の分解斜視図である。
【図３】同じく埋設ボックス本体上に縁塊体を連結固定した組立時の要部断面図である。
【図４】同じく埋設ボックス本体上に調整リングを介在させ、また傾斜地に埋設する場合に、傾斜調整材を介装して組み立てる場合の要部断面図である。
【考案を実施するための形態】
【００２１】
以下、図面を参照してこの考案を実施するための一形態を説明すると、図において示される符号１は地中に埋設されるハンドホール、マンホール等の埋設ボックス本体であり、例えば底壁を備えた所定の長さ、奥行き、深さで形成されていて、周壁の一部は薄肉状にして外部との配管等を接続する開口を形成可能にしているノックアウト部となっている。この埋設ボックス本体１自体は、埋設現場に対応して平面から見て略矩形状としたり、略円形状としたり等の適宜な所定形状を呈している。また、必要に応じ、この埋設ボックス本体１は、深さ方向すなわち上下方向に沿って例えば２乃至３個の適当数で分割形成されることもあり、この分割形態にあって上段側に配置される分割体には底部が形成されずに筒状に構成される。
【００２２】
そして、最上段の分割体には、これの上面における上部開口において上部開口を閉塞する天井盤２が設けられており、この天井盤２自体は、最上段の分割体と一体状に形成されたり、設置現場で分割体の上部開口部位に連結固定されたりし、出入口に通じる開口部３が開口形成されている。
【００２３】
この最上段の分割体の天井盤２には縁塊体５、必要に応じ調整リング６が開口部３と連通される状態で連結固定される。縁塊体５は作業員等の出入り、機器の搬出入その他のための出入口を有する枠状に形成され、調整リング６は埋設された埋設ボックス本体１と地表面との間の高さを調整するよう、同様に枠状に形成されている。これらの縁塊体５、調整リング６はともに、平面から見て例えば略円形状、略矩形状等を呈する枠状に形成されていて、埋設されるボックス本体１の最上段に位置する分割体の天井盤２面位置から地表面に至る高さ・深さにほぼ対応した高さを備え、縁塊体５の開口部分には例えばこの縁塊体５自体の内周に配置された枠体によって支持された鉄製の蓋４が施蓋されるようになっている。
【００２４】
そして、この縁塊体５と天井盤２とには、後述するように調整リング６と天井盤２とにも、天井盤２上に縁塊体５あるいは調整リング６を載置した状態でこれらを埋設ボックス本体１に連結固定させる連結手段１０が構成されている。この連結手段１０は、天井盤２面に配されている天井面インサート１１と、縁塊体５・調整リング６側面に配されている縁塊インサート１２・リングインサート１３と、天井面インサート１１にねじ込み立脚されるネジ支柱１４と、このネジ支柱１４にその所定高さ位置でねじ止め固定されて縁塊インサート１２・リングインサート１３にねじ込まれ連結される連繋体１５とを備える。
【００２５】
また、連繋体１５は、縁塊インサート５・リングインサート６にねじ込まれるネジ部１６と、ネジ支柱１１側面に嵌り込む二股状でネジ支柱１１にその上下からナット１８止めされる連結部１７とを有し、更には必要に応じ、縁塊体５・調整リング６側面、連結部１７側面相互間に介在されて縁塊体５・調整リング６側面に弾発的に当接するようネジ部１６に嵌め合わせた緩衝材１９を有して成る。
【００２６】
この連結手段１０は、縁塊体５あるいは調整リング６の周囲で図示例のように前後・左右の４ヶ所で配置される場合に限らず、例えば等間隔で２ヶ所、３ヶ所あるいは５ヶ所以上の複数ヶ所で配置される。
【００２７】
連結手段１０における天井面インサート１１、縁塊インサート１２、リングインサート１３それぞれは、埋設ボックス本体１あるいは天井盤２、縁塊体５、調整リング６それぞれの成型時に予め埋め込み配置されていることで、あるいは現場施工時に埋め込み設置されるのであり、その雌ネジ開口部は露出されていて、必要に応じ蓋栓によって覆っておくことも可能である。天井面インサート１１と縁塊インサート１２・リングインサート１３とは、天井盤２上に縁塊体５・調整リング６を載置セットしたときに相互に対応合致するように配置されている。すなわち、天井面インサート１１は縁塊体５・調整リング６における底縁面近傍に位置し、その直上方の縁塊体５側面あるいは調整リング６側面に縁塊インサート１２、リングインサート１３が位置しており、天井面インサート１１にねじ止めされるネジ支柱１４の側方、このネジ支柱１４から埋設ボックス本体１の中心側方向上に縁塊インサート１２、リングインサート１３が位置するようにしてある。
【００２８】
尚、図例にあっては、縁塊インサート１２、リングインサート１３位置である縁塊体５・調整リング６側面では凹状に窪ませることで溝部を形成してあり、これによって天井面インサート１１位置と対応させて天井盤２上に縁塊体５、調整リング６を載置設定するときの位置合わせを容易にすることができるも、これの形成は任意である。
【００２９】
ネジ支柱１４は、天井面インサート１１にねじ止め立脚されるとき、埋設ボックス本体１上に載置セットされる縁塊体５・調整リング６の高さにほぼ対応した高さ・長さとされ、縁塊体５、調整リング６の全体高さに比し長く（高く）はないものとしてある。また、全ネジ構成とすることで、そのネジ部分のいずれの位置にでもナット１８をねじ止めでき、縁塊体５、調整リング６の支持位置の高さ調整に対応可能にしている。
【００３０】
連繋体１５は、ネジ部１６、連結部１７両者の一体構造となっていて、ほぼ音叉形状を呈している。ネジ部１６は、連結部１７がネジ支柱１４に嵌め合わせられるときのネジ支柱１４と縁塊インサート１２あるいはリングインサート１３との間隔に比し小さくはない長さを有し、縁塊インサート１２あるいはリングインサート１３に十分にねじ込まれるに足る長さを有する。
【００３１】
連結部１７は、ネジ支柱１４に嵌め合わせられるよう、ネジ支柱１４の外径に比し小さくはない内法幅の溝部を有する適宜肉厚のブロック盤を呈し、ネジ部１６との一体化部分はブロック盤に対しほぼ直交するような円盤部となっている。また、ブロック盤の表裏面の外周縁には適宜高さの突縁を形成することで、ネジ支柱１４に嵌め合わせ、ナット１８止めするときのナット１８の位置合わせを容易にしている。
【００３２】
緩衝材１９は、弾発性あるゴム材、合成樹脂材にて適宜肉厚で、所定外径を備えたワッシャ形状あるいは偏平ドーナツ形状に形成されており、ネジ部１６基部に嵌め込まれることで連結部１７の円盤部面に当接している。ネジ部１６によって縁塊インサート１２あるいはリングインサート１３にねじ込まれるとき、例えば連結部１７のブロック盤面が水平面となるようにねじ込み深さを若干でも戻した場合の縁塊体５あるいは調整リング６側面との間に生じる間隙によるがたつき等を緩衝材１９の弾発性によって防止できるようにしている。
【００３３】
また、埋設ボックス本体１を傾斜地等で埋設する場合、その傾斜地面と蓋４とが面一状となるように、埋設ボックス本体１に対して縁塊体５更には調整リング６を傾斜配置させるセメント・コンクリート材の如き傾斜調整材７が埋設ボックス本体１上、調整リング６上に、現場作業によって介装されるものとしてある。
【００３４】
次にこれの使用の一例を説明すると、例えば地中に電線管路を敷設する場合等で、その分岐・集約場所等で埋設される。掘削された埋設場所で埋設ボックス本体１を適宜深さで設置し、埋設ボックス本体１の天井盤２位置と地表面との間隔・高さ等に対応して、縁塊体５のみを配置するか、調整リング６を介在させて縁塊体５を配置するかして連結手段１０を介して連結固定する。図３に示すように、縁塊体５のみを天井盤２面に固定する場合には、天井盤２に予め配置されている天井面インサート１１にネジ支柱１４をねじ込み立脚させる一方、縁塊体５側面に設けてある縁塊インサート１２に連繋体１５のネジ部１６をねじ込み、ネジ支柱１４に嵌め合わせた連結部１７をその表裏でネジ支柱１４にねじ込んであるナット１８によってしっかりねじ止めすることで連結固定する。
【００３５】
また、地表面に対する縁塊体５面高さを例えば僅かにでも調整設定する必要が生じた場合には、図示を省略したが、ネジ支柱１４に対するナット１８止め位置によって縁塊体５を天井盤２面に対して一時的にでも仮に浮かせた状態にし、天井盤２面との隙間に目地モルタル材を埋め込むように充填し、硬化させればよい。
【００３６】
図４に示すように、埋設ボックス本体１と地表面との間が大きい場合には調整リング６を、更には傾斜地である場合には傾斜調整材７を介在させる。そして同様に、調整リング６側面に設けてあるリングインサート１３、縁塊体５側面に設けてある縁塊インサート１２それぞれを天井盤２の天井面インサート１１位置に対応合致させる。そして、長めのネジ支柱１４をねじ込み立脚配置する一方、縁塊インサート１２、リングインサート１３それぞれに多段的に連繋体１５をねじ込み連結し、連繋体１５の連結部１７をネジ支柱１４にナット１８止めする。尚、調整リング６は必要があれば複数段状にして積み重ねることもでき、その場合には、それらのリングインサート１３それぞれにねじ込む連繋体１５に共通する長いネジ支柱１４を使用し、ナット１８止めすればよい。また、必要があれば、縁塊体５における縁塊インサート１２は現場において別に設けられたり、ネジ支柱１４の上部が適宜角度で折曲されたりすることもある。
【００３７】
次いで、埋設ボックス本体１、縁塊体５更には調整リング６、傾斜調整材７に土砂等を被せ、埋め込むのであり、埋設ボックス本体１内に配装される各機器・部材等を保護するよう縁塊体５には蓋４が開閉可能にして施蓋され、適宜にロックされる。
【符号の説明】
【００３８】
１…埋設ボックス本体                    ２…天井盤
３…開口部                              ４…蓋
５…縁塊体                              ６…調整リング
７…傾斜調整材
１０…連結手段                          １１…天井面インサート
１２…縁塊インサート                    １３…リングインサート
１４…ネジ支柱                          １５…連繋体
１６…ネジ部                            １７…連結部
１８…ナット                            １９…緩衝材
【図１】
0003168785.tif 000003
【図２】
0003168785.tif 000004
【図３】
0003168785.tif 000005
【図４】
0003168785.tif 000006
【手続補正書】
【提出日】平成23年4月27日(2011.4.27)
【手続補正１】
【補正対象書類名】実用新案登録請求の範囲
【補正対象項目名】全文
【補正方法】変更
【補正の内容】
【実用新案登録請求の範囲】
【請求項１】
地中に埋設される埋設ボックス本体と、この埋設ボックス本体の天井盤の開口部に連通させて連結固定される縁塊体と、埋設ボックス本体上に縁塊体を連結固定させる連結手段とを備えて成り、連結手段は、天井盤面に配されている天井面インサートと、縁塊体側面に配されている縁塊インサートと、天井面インサートにねじ込み立脚されるネジ支柱と、このネジ支柱にその所定高さ位置でねじ止め固定されて縁塊インサートにねじ込まれ連結される連繋体とを備えることを特徴とする埋設ボックス。
【請求項２】
埋設ボックス本体と縁塊体との間には、開口部に連通させて調整リングが介在され、この調整リングは、調整リング側面に配されているリングインサートと、天井面インサートにねじ込み立脚されるネジ支柱と、このネジ支柱にその所定高さ位置でねじ止め固定されてリングインサートにねじ込まれ連結される連繋体とを備えている請求項１に記載の埋設ボックス。
【請求項３】
連繋体は、縁塊インサート・リングインサートにねじ込まれるネジ部と、ネジ支柱側面に嵌り込む二股状でネジ支柱にその上下からナット止めされる連結部とを有している請求項１または２に記載の埋設ボックス。
【請求項４】
縁塊体・調整リング側面、連結部側面相互間に介在されて縁塊体・調整リング側面に弾発的に当接するようネジ部に嵌め合わせた緩衝材を有している請求項３に記載の埋設ボックス。
【請求項５】
連結手段のネジ支柱は、積み重ねた調整リングと縁塊体とで上下に多段的に配されている連繋体それぞれが嵌め込まれて天井盤の天井面インサートにねじ込まれ立脚されるものとしてある請求項１乃至４のいずれかに記載の埋設ボックス。